(57)【要約】【課題】扉体の回動の規制を繰り返しでき、寿命の長い扉体付き移動式間仕切パネルを提供する。【解決手段】天井Ｒに設けられる誘導路３に吊支部材９，９を介して吊支され、該誘導路３に沿って移動可能であり、枠体２の横枠部２４ａに吊支部材９，９が取付けられ、かつ枠体２の縦枠部２５ｂに扉体７を回動可能に取付けられている扉体付き移動式間仕切パネル１であって、横枠部２４ａ，２５ｂの下部には、左右方向に延びるプレート部材８２が備えられており、該プレート部材８２は、上下方向に進退させることができ、扉体７の上部の係合部７３ａに係合し扉体７の回動を規制可能となっている。【選択図】図６
2020105851.tif 000002
【特許請求の範囲】
【請求項１】
天井に設けられる誘導路に吊支部材を介して吊支され、該誘導路に沿って移動可能であり、枠体の横枠部に前記吊支部材が取付けられ、かつ前記枠体の縦枠部に扉体を回動可能に取付けられている扉体付き移動式間仕切パネルであって、
前記横枠部の下部には、左右方向に延びるプレート部材が備えられており、該プレート部材は、上下方向に進退させることができ、前記扉体の上部の係合部に係合し前記扉体の回動を規制可能となっていることを特徴とする扉体付き移動式間仕切パネル。
【請求項２】
前記横枠部にはスリットが形成されており、前記プレート部材が前記スリットに案内されて前記スリットを挿通していることを特徴とする請求項１に記載の扉体付き移動式間仕切パネル。
【請求項３】
前記横枠部には、左右に延びる揺動部材が組付けられ、該揺動部材の左右中間部において前記横枠部に軸支されていることを特徴とする請求項１または２に記載の扉体付き移動式間仕切パネル。
【請求項４】
前記プレート部材は、前記揺動部材の端部において前後に延びる軸によって回動自在に軸支されていることを特徴とする請求項１ないし３のいずれかに記載の扉体付き移動式間仕切パネル。
【請求項５】
前記横枠部の前方外側に前記揺動部材が配設されていることを特徴とする請求項３または４に記載の扉体付き移動式間仕切パネル。
【発明の詳細な説明】
【技術分野】
【０００１】
本発明は、オフィス、会議室、ショールーム、店舗等の室内を仕切って使用するための移動間仕切装置を構成する扉体付き移動式間仕切パネルに関する。
【背景技術】
【０００２】
オフィス、会議室、ショールーム、店舗等の室内は、天井に設けられたレールに吊支され、該レールに沿って移動可能な間仕切パネルを連接して所定の区画に仕切る移動間仕切装置によって、所望の小区画のレイアウトを実現している。このような移動間仕切装置にあっては、所定の位置に扉体付き移動式間仕切パネルが用いられることで、仕切られた２つの空間の間を往来可能にしたものが知られている（特許文献１参照）。
【０００３】
特許文献１に示される扉体付き移動式間仕切パネルは、上部に２つの吊支部材が取着される倒立Ｌ字状の枠体と、該枠体に蝶番によって取着された扉体と、を備え、該枠体の横枠部には、扉体の上部の凹所に係合可能なロック棒が設けられている。ロック棒は、枠体の内部に備えられたリンク機構がハンドル操作されことにより上下方向に進退するようになっている。扉体付き移動式間仕切パネルをレールに沿って移動する際には、ロック棒を下方に突出させて扉体の上部の凹所に係合させることで、扉体の回動を規制でき、作業者が扉体を押さえることなく作業ができるようになっている。
【先行技術文献】
【特許文献】
【０００４】
【特許文献１】実願平１−１２７５１４号（実開平０３−０６６３７６号）のマイクロフィルム（第５〜７頁、第１図）
【発明の概要】
【発明が解決しようとする課題】
【０００５】
しかしながら、特許文献１にあっては、例えばガラスのような重量の大きい材質の扉体を用いた場合、扉体付き移動式間仕切パネルを天井に設けられたレールに沿って移動させる際、ロック棒を扉体の上部の凹所に係合させた状態となっているため、扉体が回動しようとするとロック棒に大きな力がかかり、ロック棒が変形または破損する虞があり、ロック棒を繰り返し使用することができないという問題がある。
【０００６】
本発明は、このような問題点に着目してなされたもので、扉体の回動の規制を繰り返しでき、寿命の長い扉体付き移動式間仕切パネルを提供することを目的とする。
【課題を解決するための手段】
【０００７】
前記課題を解決するために、本発明の扉体付き移動式間仕切パネルは、
天井に設けられる誘導路に吊支部材を介して吊支され、該誘導路に沿って移動可能であり、枠体の横枠部に前記吊支部材が取付けられ、かつ前記枠体の縦枠部に扉体を回動可能に取付けられている扉体付き移動式間仕切パネルであって、
前記横枠部の下部には、左右方向に延びるプレート部材が備えられており、該プレート部材は、上下方向に進退させることができ、前記扉体の上部の係合部に係合し前記扉体の回動を規制可能となっていることを特徴としている。
この特徴によれば、誘導路に沿って扉体付き移動式間仕切パネルを移動させる際、プレート部材は扉体の係合部に係合することで、扉体が回動しようとする場合、プレート部材を係合部によって押されるようにかかる力が分散されるため、扉体付き移動式間仕切パネルを誘導路に沿って移動する際、扉体の回動によりプレート部材が変形または破損するのを防止しながら扉体の回動の規制を繰り返しできる。
【０００８】
前記横枠部にはスリットが形成されており、前記プレート部材が前記スリットに案内されて前記スリットを挿通していることを特徴としている。
この特徴によれば、プレート部材がスリットを形成する内面によってプレート部材の前後移動を規制できるため、プレート部材の変形を防止可能となる。
【０００９】
前記横枠部には、左右に延びる揺動部材が組付けられ、該揺動部材の左右中間部において前記横枠部に軸支されていることを特徴としている。
この特徴によれば、簡単な機構でプレート部材を上下運動させられる。
【００１０】
前記プレート部材は、前記揺動部材の端部において前後に延びる軸によって回動自在に軸支されていることを特徴としている。
この特徴によれば、揺動部材の傾きによらずプレート部材が常に同一の姿勢に保たれるため、プレート部材が扉体の係合部に係合しやすい。
【００１１】
前記横枠部の前方外側に前記揺動部材が配設されていることを特徴としている。
この特徴によれば、横枠部の上下寸法を抑えて揺動部材を配設できる。
【図面の簡単な説明】
【００１２】
【図１】本発明の実施例１における移動間仕切装置を示す正面図である。
【図２】実施例１における移動間仕切装置の間仕切パネルの構造を示す分解斜視図である。
【図３】カバー部材を一部切欠いて扉体付き移動式間仕切パネルの構造を示す分解斜視図である。
【図４】枠体と扉体とを連結するギアヒンジの平面図であり、（ａ）は閉扉状態、（ｂ）は開扉状態を示す図である。
【図５】枠体骨組とリンク機構とを示す斜視図である。
【図６】枠体骨組とリンク機構とを示す分解斜視図である。
【図７】リンク機構の動作を示す正面図であり、（ａ）は扉体付き移動式間仕切パネルをレールに沿って移動させる際の状態、（ｂ）は扉体付き移動式間仕切パネルを床面に立設させる際の状態を示す図である。
【図８】プレート部材の動作を示す正面図であり、（ａ）は扉体付き移動式間仕切パネルをレールに沿って移動させる際の状態、（ｂ）は扉体付き移動式間仕切パネルを床面に立設させる際の状態を示す図である。
【図９】プレート部材の動作を示す側面視断面図であり、（ａ）は扉体付き移動式間仕切パネルをレールに沿って移動させる際の状態、（ｂ）は扉体付き移動式間仕切パネルを床面に立設させる際の状態を示す図である。
【図１０】（ａ），（ｂ）は、実施例１の変形例を示すプレート部材の正面図である。
【図１１】本発明の実施例２におけるリンク機構の動作を示す正面図であり、（ａ）は扉体付き移動式間仕切パネルをレールに沿って移動させる際の状態、（ｂ）は扉体付き移動式間仕切パネルを床面に立設させる際の状態を示す図である。
【図１２】プレート部材の動作を示す側面視断面図であり、（ａ）は扉体付き移動式間仕切パネルをレールに沿って移動させる際の状態、（ｂ）は扉体付き移動式間仕切パネルを床面に立設させる際の状態を示す図である。
【図１３】本発明の実施例３におけるプレート部材の動作を示す側面視断面図であり、（ａ）は扉体付き移動式間仕切パネルをレールに沿って移動させる際の状態、（ｂ）は扉体付き移動式間仕切パネルを床面に立設させる際の状態を示す図である。
【発明を実施するための形態】
【００１３】
本発明に係る扉体付き移動式間仕切パネルを実施するための形態を実施例に基づいて以下に説明する。
【実施例１】
【００１４】
実施例１に係る扉体付き移動式間仕切パネルにつき、図１から図１０を参照して説明する。以下、図１の紙面手前側及び図９の紙面左側を扉体付き移動式間仕切パネルの前方側とし、その前方側から見たときの上下左右方向を基準として説明する。
【００１５】
移動間仕切装置１０は、例えば、オフィス、会議室、ショールーム、店舗等の建物内の室内を所定の区画に仕切るために用いられるものであり、図１に示されるように、本実施例では、扉体付き移動式間仕切パネル１及び複数の間仕切パネル１０１，１０１，…を組み合わせて構成されている。
【００１６】
各扉体付き移動式間仕切パネル１及び複数の間仕切パネル１０１，１０１，…は、室内空間の天井面Ｒ（天井）に設けられるレール３（誘導路）に沿って移動可能な一対の吊支部材９，９により上端が吊支されており、扉体付き移動式間仕切パネル１及び間仕切パネル１０１，１０１，…をレール３に沿って所定の位置まで手動で順次移動させ、扉体付き移動式間仕切パネル１及び間仕切パネル１０１，１０１，…を左右方向（進行方向）に一列に連接させることで天井面Ｒから床面Ｆに亘って室内空間を仕切ることができるようになっている。また、後述する上部閉塞部材１１１，１１１及び下部閉塞部材１１２，１１２がレール３及び床面Ｆに向けて押し付けられることにより音や光の漏れの閉塞性が高められている。
【００１７】
間仕切パネル１０１について、図２を用いて説明する。間仕切パネル１０１は、前後に間隔をおいて対向配置される一対のガラスパネル１０４，１０４と、ガラスパネル１０４，１０４を一体に保持する四方枠形状の枠部材１０５（上部フレーム１０６、縦フレーム１０７，１０７及び下部フレーム１０８）と、上部フレーム１０６及び下部フレーム１０８に収納される上部閉塞部材１１１及び下部閉塞部材１１２と、上部閉塞部材１１１及び下部閉塞部材１１２を進退動作させる図示しない上部進退機構及び下部進退機構と、から主に構成される二重ガラスパネル構造を成し、パネル材として透明のガラスパネル１０４が使用されることにより、間仕切パネル１０１によって仕切られる室内空間の開放感を演出することができるとともに、強度や遮音性に優れている。尚、本実施例では、ガラスパネル１０４，１０４と枠部材１０５とが一体化されてパネル本体１２０を構成しており、上部閉塞部材１１１または下部閉塞部材１１２とそれぞれに対応する各進退機構とが収納されている。さらに尚、ガラスパネル１０４，１０４は、透明度の高いポリカーボネートやアクリル樹脂製を使用してもよい。
【００１８】
枠部材１０５の構造について、図２に示されるように、縦フレーム１０７は、間仕切パネル１０１の上下方向に延びる芯部材１７１が前後面において上下方向に延びる被覆部材１７０に被覆されて構成され、左右方向に厚みを有する板状をなし、ガラスパネル１０４，１０４の間に配設されている。被覆部材１７０は、アルミ合金等の金属製の押出成形品であり、芯部材１７１は、左右方向に厚みを有する鋼製の板材である。
【００１９】
枠部材１０５は、剛性の高い鋼製の上部芯部材１６３と芯部材１７１とがＬ字状に連結されることにより、上部フレーム１０６と縦フレーム１０７との連結構造の構造強度を確保されている。また、ガラスパネル１０４，１０４は図示しない透明な両面テープにより縦フレーム１０７，１０７に固着されており、ガラスパネル１０４，１０４の荷重を上部芯部材１６３，１６３及び芯部材１７１，１７１により支持し、上部芯部材１６３，１６３の上部に取着された吊支部材１０９により間仕切パネル１０１を吊支している。
【００２０】
また、縦フレーム１０７，１０７の左または右側部には、それぞれ側部カバー部材１７６，１７７が取付けられている。隣接した間仕切パネル１０１，１０１が左右方向に連設される際には、側部カバー部材１７６，１７７同士が直接接触するため、ガラスパネル１０４，１０４の左右両側端面を保護できるようになっている。尚、左側の側部カバー部材１７６は、右側に凹む凹嵌合部１７６ａが形成されており、右側の側部カバー部材１７７は、凹嵌合部１７６ａに嵌合可能な形状の凸嵌合部１７７ａが形成されている。
【００２１】
扉体付き移動式間仕切パネル１について説明する。実施例１では扉体付き移動式間仕切パネル１は、壁Ｗ（図１参照）に左右方向に押し当てられた状態で立設して用いられる例について説明している。図３を参照し、扉体付き移動式間仕切パネル１は、倒立Ｌ字状を成す枠体２と、該枠体２に後述するギアヒンジ５によって回動可能に取付けられる扉体７と、を備えている。扉体７は、前後一対のガラスパネル７１，７１と、前後一対のガラスパネル７１，７１を一体に保持する四方枠形状の枠部材７２（上部フレーム７３、縦フレーム７４，７４及び下部フレーム７５）と、を備える二重ガラスパネル構造を成している。上部フレーム７３の上面の右端部には、後述するプレート部材８２（図５，６参照）が挿入されて該プレート部材８２と係合する溝状の係合部７３ａが形成されている。下部フレーム７５には、下部閉塞部材１２と、該下部閉塞部材１２を進退動作させる図示しない下部進退機構とが収納されている。尚、扉体７について間仕切パネル１０１と類似する部材については、特に断らない限り、詳細な説明を省略する。
【００２２】
図４（ａ）に示されるように、ギアヒンジ５は２つのギア付き取付板５１，５１を備え、該２つのギア付き取付板５１，５１はそれぞれ枠体２と扉体７とに固定されている。具体的には、一方のギア付き取付板５１は、スペーサ２６及び被覆部材２７を介して枠体２内側の縦角管２５ｂ（図５参照）に取付けられており、他方のギア付き取付板５１は、第一被覆部材７４ａ、第一芯部材７４ｂ、スペーサ７４ｃ、第二被覆部材７４ｄ及び第二芯部材７４ｅを備える扉体７の縦フレーム７４に取付けられる。ギアヒンジ５は、扉体７の上下端部に亘って上下に延びて配置される長蝶番である（図３参照）。また、扉体７を紙面反時計回りに回動させることで、扉体７が１８０度開扉した状態にできる（図４（ｂ）参照）。尚、ギアヒンジ５以外の形態の蝶番を用いてもよい。
【００２３】
図５を参照して、枠体２は、枠体骨組２３にカバー部材２１（図３参照。）が取付けられて構成されている。枠体骨組２３は略同一平面上に２本略平行して並ぶ横角管２４ａ，２４ｂと、２本略平行して並ぶ縦角管２５ａ，２５ｂと、横チャンネル材２５ｅと、により主に構成される。外側の縦角管２５ａの上端は、上側の横角管２４ａの下面に当接して溶接固定されている。内側の縦角管２５ｂの上端は、上側の横角管２４ａの下面と略直角を成すように当接して溶接固定されている。下側の横角管２４ｂの左端は、内側の縦角管２５ｂの右面と略直角を成すように当接して溶接固定されている。また、内側の縦角管２５ｂには扉体７がギアヒンジ５（図４参照）により取着されている。
【００２４】
図５，６を参照して、２本の横角管２４ａ，２４ｂの間にはスペーサ２４ｃが配置されており、該スペーサ２４ｃは２本の横角管２４ａ，２４ｂに溶接固定されている。２本の横角管２４ａ，２４ｂの間かつ左右中間には支点部材２４ｄが配置されており、該支点部材２４ｄは２本の横角管２４ａ，２４ｂに溶接固定されている。２本の横角管２４ａ，２４ｂの右端には上下に伸びる角管でできた縦チャンネル材２４ｆの左面と当接して溶接固定されている。２本の縦角管２５ａ，２５ｂの間には３つのガイド部材２５ｃ，２５ｃ，２５ｃと３つのハット部材２５ｄ，２５ｄ，２５ｄとが配置されており、これらの部材は２本の横角管２４ａ，２４ｂに溶接固定されている。２本の縦角管２５ａ，２５ｂの間かつ下端部には、下向きコ字状で頭部に上下に貫通する孔が形成され枠体骨組２３の下端を補強する横チャンネル材２５ｅが溶接固定されている。また、下側の横角管２４ｂの右端部には、上下に貫通するスリット２４ｅが形成されている。
【００２５】
図３に戻って、枠体２の前面、側面及び後面には正面視倒立Ｌ字状のカバー部材２１が図示しない固定手段により枠体骨組２３（図５参照）に固定されている。枠体骨組２３の上側の横角管２４ａの上端には上向きコ字状の上部フレーム６が溶接固定されており、吊支部材９，９が上側の横角管２４ａに取付けられている。また、該上部フレーム６には上部閉塞部材１１と、該上部閉塞部材１１を進退動作させる図示しない上部進退機構とが収納されている。また、枠体２の横チャンネル材２５ｅの下端部には下部閉塞部材１３と、該下部閉塞部材１３を進退動作させる図示しない下部進退機構とが収納されている。
【００２６】
図５，６を参照して、枠体骨組２３にはリンク機構８が組込まれており、該リンク機構８は、左右に延び２本の横角管２４ａ，２４ｂの前後外側部にある一対の揺動部材８１，８１と、上下に延び２本の縦角管２５ａ，２５ｂの間かつ前後内側部にあるバー部材８３と、を備える。一対の揺動部材８１，８１は、その左右中間部において支点部材２４ｄに軸支されており、その右端部において正面視略釣鐘型を成すプレート部材８２を前後に延びる軸８２ａによって回動自在に軸支され、その下端は左右方向に揺動可能となっている。プレート部材８２は、下側の横角管２４ｂに形成されたスリット２４ｅに挿通しており、係合部７３ａ（図３参照）に係合することで扉体７の回動を規制することができる。尚、揺動部材８１は長尺の板状を成す。
【００２７】
バー部材８３は、上部板８４と、中部板８５と、下部棒８６とが連結して構成されている。中部板８５にはリンク機構操作部８７（前面板８７Ａ、回転駆動部８７Ｂ及び後面板８７Ｃ）が装着されており、前面板８７Ａ及び後面板８７Ｃが２本の縦角管２５ａ，２５ｂに固定され、中部板８５に形成された左右方向に長い長孔８５ａにリンク機構操作部８７の突起８７ａが遊嵌されている（図７参照）。下部棒８６の下端部に取着された落とし棒８６ａは、床面Ｆに設置されたフランス落し用の受け具８６ｂに挿入して係合することで、枠体２を床面Ｆに対して安定して固定させることができる。
【００２８】
リンク機構８の動作について説明する。図７（ａ）は、扉体付き移動式間仕切パネル１をレール３に沿って移動させる際の状態を示している。
図示しないクランクハンドルにより回転駆動部８７Ｂの突起８７ａを０時の位置に合わせると、中部板８５が上がり、バー部材８３が一体として上がるため、落とし棒８６ａが受け具８６ｂとの係合状態が解除される。同時に、一対の揺動部材８１，８１の左端部が上がり右端部が下がるため、プレート部材８２が下がり、係合部７３ａ（図３参照）に係合する。
【００２９】
また、図７（ｂ）は、扉体付き移動式間仕切パネル１を床面Ｆに立設させる際の状態を示している。このとき、扉体付き移動式間仕切パネル１を壁Ｗ（図１参照）に当接するまで移動させた状態で床面Ｆに固定させる。図示しないクランクハンドルにより回転駆動部８７Ｂの突起８７ａを６時の位置に回すと、中部板８５が下がり、バー部材８３が一体として下がるため、落とし棒８６ａが受け具８６ｂに挿入して係合する。同時に、一対の揺動部材８１，８１の左端部が下がり右端部が上がるため、プレート部材８２が上がり、係合部７３ａ（図３参照）との係合状態が解除される。
【００３０】
図８，９に示されるように、扉体付き移動式間仕切パネル１をレール３に沿って移動させる際プレート部材８２は係合部７３ａに挿入されて係合されており（図８（ａ），図９（ａ）参照）、扉体付き移動式間仕切パネル１を床面Ｆに立設させる際プレート部材８２は扉体７の係合部７３ａとの係合状態が解除されている（図８（ｂ），図９（ｂ）参照）。
【００３１】
図８を参照して、プレート部材８２は正面視略左右対称を成し、左右略中心かつ上方が軸８２ａにより回動自在に軸支されているため、一対の揺動部材８１，８１の傾きに関わらずプレート部材８２の下辺を常に略水平に保つことができ、プレート部材８２が扉体７の係合部７３ａに挿入して係合しやすくなっている。また、プレート部材８２は、左右略中心の上方を軸８２ａにより軸支されており、プレート部材８２の重心が左右略中心の下方に位置することから、プレート部材８２の下辺を安定的に略水平に保ちやすい。プレート部材８２が扉体７の係合部７３ａに挿入した状態（図９（ａ）参照）で扉体７がギアヒンジ５を中心に回動しようとする力がプレート部材８２にかかった場合、プレート部材８２は左右に亘って係合部７３ａに当接しているため係合部７３ａから相対的に押される力が左右方向に分散されるため、扉体７のプレート部材８２は変形または破損しにくくなっている。
【００３２】
図９を参照して、プレート部材８２は下側の横角管２４ｂに形成された上下一対のスリット２４ｅ，２４ｅに挿通されていることから、プレート部材８２が扉体７の係合部７３ａに挿入した状態（図９（ａ）参照）で扉体７が回動しようとする場合、プレート部材８２はスリット２４ｅ，２４ｅを形成する横角管２４ｂ内面に当接し、プレート部材８２の前後移動を規制できるため、プレート部材８２の変形を防止可能となっている。また、プレート部材８２は、前後に延びる軸８２ａによって回動自在に軸支されている。
【００３３】
実施例１の変形例について説明する。なお、前記実施例に示される構成部分と同一のものについては、同一符号を付して重複する説明を省略する。プレート部材８２は図８に示されるような正面視略釣鐘型を成すに限らず、図１０（ａ）に示されるような等脚台形を成すプレート部材８２Ａであったり、また図１０（ｂ）に示されるような倒立Ｔ字状を成すプレート部材８２Ｂであったりしてもよい。すなわち、重心が下方に位置することが好ましく、左右略対称を成すことが好ましく、下辺が左右に延びる形状を有する形状であることが好ましく、これらすべてを満たすことが特に好ましい。
【００３４】
以上説明したように、本実施例の扉体付き移動式間仕切パネル１は、２本の横角管２４ａ，２４ｂの下部には、左右方向に延びるプレート部材８２が備えられており、該プレート部材８２は、上下方向に進退させることができ、扉体７の上部の係合部７３ａに係合し扉体７の回動を規制する。このことから、レール３に沿って扉体付き移動式間仕切パネル１を移動させる際、プレート部材８２は扉体７の係合部７３ａに係合することで、扉体７が回動しようとする場合、プレート部材８２を係合部７３ａによって押されるようにかかる力が分散されるため、扉体付き移動式間仕切パネル１をレール３に沿って移動する際、扉体７の回動によりプレート部材が変形または破損するのを防止しながら扉体７の回動の規制を繰り返しできる。
【００３５】
また、下側の２４ｂにはスリット２４ｅが形成されており、プレート部材８２がスリット２４ｅに案内されてスリット２４ｅを挿通していることから、プレート部材８２がスリット２４ｅを形成する内面によってプレート部材８２の前後移動を規制できるため、プレート部材８２の変形を防止可能となる。
【００３６】
また、２本の横角管２４ａ，２４ｂは、左右に延びる一対の揺動部材８１，８１が組付けられ、該一対の揺動部材８１，８１は、その左右中間部において支点部材２４ｄに軸支されていることから、簡単な機構でプレート部材８２を上下運動させられる。
【００３７】
また、プレート部材８２は、一対の揺動部材８１，８１の端部において前後に延びる軸８２ａによって回動自在に軸支されていることから、一対の揺動部材８１，８１の傾きによらずプレート部材８２が常に同一の姿勢に保たれるため、プレート部材８２が扉体７の係合部７３ａに係合しやすい。
【００３８】
また、２本の横角管２４ａ，２４ｂの前後外側部に一対の揺動部材８１，８１が配設されていることから、２本の横角管２４ａ，２４ｂの上下寸法を抑えて一対の揺動部材８１，８１を配設できる。さらに、扉体７のガラスパネルの上下寸法を広く確保できる。
【００３９】
また、揺動部材８１は板状を成していることから、一対の揺動部材８１，８１の前後寸法を抑えることができる。
【実施例２】
【００４０】
実施例２に係る扉体付き移動式間仕切パネルにつき、図１１，１２を参照して説明する。尚、前記実施例に示される構成部分と同一のものについては、同一符号を付して重複する説明を省略する。
【００４１】
図１１に示されるように、バー部材２８３は、上部板２８４と、上部連結板２８５Ａと、下部連結板２８５Ｂと、下部棒２８６と、が連結して構成されている。上部連結板２８５Ａ及び下部連結板２８５Ｂにはリンク機構操作部２８７が装着されており、上部連結板２８５Ａに形成された長孔２８５ａがリンク機構操作部２８７の突起２８７ａによって遊嵌されており、下部連結板２８５Ｂに形成された長孔２８５ｂがリンク機構操作部２８７の突起２８７ｂによって遊嵌されている。
【００４２】
図１１，１２を参照して、プレート部材２８２は正面視略釣鐘型を成し、上下方向に延びる延伸部２８２ａと、該延伸部２８２ａの下端部が後方に折り曲げられて延びる延設部２８２ｂとを備え、延伸部２８２ａと延設部２８２ｂとが鋭角を成すように側面視略Ｌ字状を成している。また、扉体２０７の上方に備えられ側面視略倒立Ｌ字状を成す被係合部材２７０は、上下方向に延びる延伸部２７０ａと、該延伸部２７０ａの上端部が前方に折り曲げられて略延設部２８２ｂと平行に延びる延設部２７０ｂとを備え、延伸部２７０ａと延設部２７０ｂとが鋭角を成すように側面視略Ｌ字状の係合部２７３ａが形成されている。
【００４３】
図１１（ａ）は、扉体付き移動式間仕切パネル２０１をレール３に沿って移動させる際の状態を示している。はじめに突起２８７ａが６時の位置に、突起２８７ｂが０時の位置にある場合、上部連結板２８５Ａが下がり、下部連結板２８５Ｂが上がった状態であるため、バー部材２８３は上下に縮んだ状態である。このとき、下部棒２８６の下端部に取着された落とし棒２８６ａが受け具２８６ｂに対する係合は解除状態である。同時に一対の揺動部材２８１，２８１の左端部が下がり右端部が上がった状態であるため、プレート部材２８２が上がった状態となり、延設部２８２ｂが被係合部材２７０の延設部２７０ｂと当接し、プレート部材２８２が係合部２７３ａに係合した状態である（図１２（ａ）参照）。尚、プレート部材２８２が係合部２７３ａに係合しながら扉体２０７を持ち上げることから、扉体２０７を安定して保持できるとともに扉体２０７が取付けられている内側の縦角管２５ｂにかかる荷重を減らすことができる。
【００４４】
また、図１１（ａ）に示される状態から、図示しないクランクハンドルにより突起２８７ａを６時から０時の位置に、突起２８７ｂを０時から６時の位置に回すと、上部連結板２８５Ａが上がり、下部連結板２８５Ｂが下がるため、バー部材２８３は上下に伸びる挙動を行う（図１１（ａ）矢印参照）。このとき、図１１（ｂ）に示されるように、下部棒２８６の下端部に取着された落とし棒２８６ａが受け具２８６ｂに挿入して係合する。同時に一対の揺動部材２８１，２８１の左端部が上がり右端部が下がるため、プレート部材２８２が下がり、係合部２７３ａとの係合状態が解除され（図１２（ｂ）参照）、図１１（ｂ）に示される扉体付き移動式間仕切パネル２０１を床面Ｆに立設させる際の状態となる。
【実施例３】
【００４５】
実施例３に係る扉体付き移動式間仕切パネルにつき、図１３を参照して説明する。尚、前記実施例に示される構成部分と同一のものについては、同一符号を付して重複する説明を省略する。
【００４６】
図１３に示されるように、プレート部材３８２は、上下方向に延びる延伸部３８２ａと、該延伸部の下端部から後方に折り曲げられて延びる延設部３８２ｂと、該延設部３８２ｂの後端部から上方に折り曲げられて延びる鈎部３８２ｃと、を備える。また、扉体３０７の上方に備えられ側面視略倒立Ｌ字状を成す被係合部材３７０は、上下方向に延びる延伸部３７０ａと、該延伸部３７０ａの上端部が前方に折り曲げられて延びる延設部３７０ｂとを備え、該延設部３７０ｂには、鈎部３８２ｃに対応する上下に貫通した孔状の係合部３７３ａが形成されている。
【００４７】
図１３（ａ）を参照して、扉体付き移動式間仕切パネル３０１をレール３に沿って移動させる際プレート部材３８２が上がると、鈎部３８２ｃが係合部３７３ａに下方から挿通するように、プレート部材３８２は係合部３７３ａに係合する。また、図１３（ｂ）を参照して、扉体付き移動式間仕切パネル３０１を床面Ｆに立設させる際プレート部材３８２が下がると、鈎部３８２ｃが係合部３７３ａから下方に外れ、プレート部材３８２の係合状態が解除される。尚、プレート部材３８２が上がると、鈎部３８２ｃが係合部３７３ａに下方から挿通するため、鈎部３８２ｃが係合部３７３ａから外れにくく、確実に係合できる。さらに尚、リンク機構の動作については実施例２と同様なので、詳細な説明を省略する。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、外側の縦角管２５ａの上端は、上側の横角管２４ａの下面に当接して溶接固定されていると説明したが、これに限らず、上側の横角管の左端が、外側の縦角管の右面と略直角を成すように当接して溶接固定されていてもよい。
【００５０】
また、内側の縦角管２５ｂの上端は、上側の横角管２４ａの下面と略直角を成すように当接して溶接固定されていると説明したが、これに限らず、上側の横角管の左端が、内側の縦角管の右面と略直角を成すように当接して溶接固定され、２本の縦杆の間かつ上端部に別途連結部材を設けてもよい。
【００５１】
また、下側の横角管２４ｂの左端は、内側の縦角管２５ｂの右面と略直角を成すように当接して溶接固定されていると説明したが、これに限らず、内側の縦角管の上端が、下側の横角管の下面と略直角を成すように当接して溶接固定されていてもよい。
【００５２】
また、２本の横角管２４ａ，２４ｂの右端には上下に伸びる角管でできた縦チャンネル材２４ｆの左面と当接して溶接固定されていると説明したが、これに限らず、２本の横角管の間かつ右端部にスペーサが配置され、該スペーサが２本の横角管に溶接固定されていてもよい。
【００５３】
また、揺動部材は前後２枚で一対を成すように配設されていると説明したが、これに限らず、前または後に１枚だけでもよい。
【００５４】
また、一対の揺動部材は横角管２４ａ，２４ｂの前後外側部にあると説明したが、これに限らず、横角管２４ａ，２４ｂの前後内側部にあってもよい。
【００５５】
また、扉体付き移動式間仕切パネル及び間仕切パネル１０１は、ガラスパネルを保持すると説明したが、これに限らず、透光性を有さないパネルであってもよい。
【００５６】
また、扉体付き移動式間仕切パネル及び間仕切パネル１０１は、一対の吊支部材９，９により上端が吊支されると説明したが、これに限らず、１または３つ以上の吊支部材により上端が吊支されていてもよい。
【００５７】
また、プレート部材は左右に亘って係合部に当接すると説明したが、これに限らずプレート部材の一部が係合部に当接するものであってもよい。
【符号の説明】
【００５８】
１                扉体付き移動式間仕切パネル
２                枠体
３                レール（誘導路）
７                扉体
８                リンク機構
９                吊支部材
１０              移動間仕切装置
２４ａ，ｂ        横角管
２５ａ，ｂ        縦角管
７３ａ            係合部
８１              揺動部材
８２              プレート部材
８２Ａ，Ｂ        プレート部材
８２ａ            軸
８３              バー部材
１０１            間仕切パネル
２０１            扉体付き移動式間仕切パネル
２０７            扉体
２８２            プレート部材
２７３ａ          係合部
２８１            揺動部材
３０１            扉体付き移動式間仕切パネル
３０７            扉体
３８２            プレート部材
３７３ａ          係合部
Ｆ                床面
Ｒ                天井面（天井）
Ｗ                壁
【図１】
2020105851.tif 000003
【図２】
2020105851.tif 000004
【図３】
2020105851.tif 000005
【図４】
2020105851.tif 000006
【図５】
2020105851.tif 000007
【図６】
2020105851.tif 000008
【図７】
2020105851.tif 000009
【図８】
2020105851.tif 000010
【図９】
2020105851.tif 000011
【図１０】
2020105851.tif 000012
【図１１】
2020105851.tif 000013
【図１２】
2020105851.tif 000014
【図１３】
2020105851.tif 000015